(57)【要約】【課題】長期間使用しても、グリースが不足し、シールリップやダストリップが早期に摩耗したり、切れたりする問題が無く、長期間安定したシール性能を発揮するボールジョイント用ダストカバーを提供することを目的とする。【解決手段】ボールスタッドの一端に形成された球頭部がソケット内に保持され、前記ボールスタッドの他端の軸部はナックルに締め付け固定され、一端大径開口部が前記ソケットの外周面に固定保持され、他端小径開ロ部が前記軸部に保持され、前記大径開口部と前記小径開口部とを連結している膜部を備えたゴム状弾性材製ボールジョイント用ダストカバーにおいて、前記膜部の前記小径開口部側の内側にグリース溜り部を設けたことを特徴とする。【選択図】図１
2011106478.tif 000002
【特許請求の範囲】
【請求項１】
ボールスタッド（１）の一端に形成された球頭部（２）がソケット（３）内に保持され、
前記ボールスタッド（１）の他端の軸部（４）はナックル（５）に締め付け固定され、一
端大径開口部（８）が前記ソケット（３）の外周面に固定保持され、他端小径開ロ部（１５）が前記軸部（４）に保持され、前記大径開口部（８）と前記小径開口部（１５）とを連結している膜部（７）を備えたゴム状弾性材製ボールジョイント用ダストカバーにおいて、前記膜部（７）の前記小径開口部（１５）側の内側にグリース溜り部（７１）を設けたことを特徴とするボールジョイント用ダストカバー。
【請求項２】
前記グリース溜り部（７１）が、前記膜部（７）から前記軸部（４）外周面に向かって伸びる仕切り部材（７１１）により形成されていることを特徴とする請求項１記載のボールジョイント用ダストカバー。
【請求項３】
前記グリース溜り部（７１）が、前記小径開口部（１５）の下面（１５１）から前記軸部（４）外周面に向かって伸びる仕切り部材（７１１）により形成されていることを特徴とする請求項１記載のボールジョイント用ダストカバー。
【請求項４】
前記グリース溜り部（７１）が、前記軸部（４）外周面から前記膜部（７）に向かって伸びる仕切り部材（７１２）により形成されていることを特徴とする請求項１記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては、図４に記載のボールジョイント用ダストカバーが知られている。（特許文献１、２）
【０００３】
この種ボールジョイント用ダストカバーのシール構造は、ボールスタッド１０の一端に形成された球頭部２００がソケット３００内に保持されている。
そして、ボールスタッド１０の他端の軸部４００は、ナックル５００に締め付け固定されている。
一方、ゴム状弾性材製ダストカバー６００の一端大径開口部８００が、ソケット３００の外周面にスナップリング２２０により固定保持され、金属補強環１１０が埋設された他端小径開口部１５０が、軸部４００に保持された構成となっている。
【０００４】
この種、従来のダストカバー６００の小径開口部１５０には、ダストカバー６００内への水やダスト等の浸入防止、及びダストカバー６００から外部へのグリース流出防止目的のために、ナックル５００の下面と密封接触するダストリップ１００と、ダストカバー６００内のグリースが外部に漏れないため、軸部４００の外周面と密接するシールリップが設けられている。
【０００５】
一方、大径開口部８００は、ソケット３００の外周面にスナップリング２２０により、完全に固定保持されるが、小径開口部１５０は、完全に固定する仕様ではなく、スタッド１０やナックル５００の揺動回転運動に伴い、ダストカバー６００が捩れる事を防止する為、スタッド１０やナックル５００に対して滑りを伴いながらシールする構造である。
このように、小径開口部１５０に設けたシールリップとダストリップ１００は滑りを伴うため、ダストリップからシールリップ周辺にはグリースを介在させ、これらの部位がナックル５００やボールスタッド１０と擦れて摩耗するのを防止することが望ましい。
【０００６】
そのため、通常シールリップとダストリップ１００には、グリースが塗布される。
しかしながら、長期間使用すると、グリースが不足し、シールリップとダストリップ１００部が摩耗したり、切れたりする問題が惹起した。
この結果、ダストリップ１００とシールリップの機能が損なわれ、ダストカバー６００内へのダストや水の侵入を許容してしまうと同時に、ダストカバー６００内のグリースを外部に漏らす問題を発生させた。
【先行技術文献】
【特許文献】
【０００７】
【特許文献１】実開平４−３２３１３号公報
【特許文献２】特開２００４−９２７７６号公報
【発明の開示】
【発明が解決しようとする課題】
【０００８】
本発明は、このような課題に鑑みてなされたものであり、長期間使用しても、グリースが不足し、シールリップやダストリップが早期に摩耗したり、切れたりする問題が無く、長期間安定したシール性能を発揮するボールジョイント用ダストカバーを提供することを目的とする。
【課題を解決するための手段】
【０００９】
本発明に係るボールジョイント用ダストカバーは、ボールスタッドの一端に形成された球頭部がソケット内に保持され、前記ボールスタッドの他端の軸部はナックルに締め付け固定され、一端大径開口部が前記ソケットの外周面に固定保持され、他端小径開ロ部が前記軸部に保持され、前記大径開口部と前記小径開口部とを連結している膜部を備えたゴム状弾性材製ボールジョイント用ダストカバーにおいて、前記膜部の前記小径開口部側の内側にグリース溜り部を設けたことを特徴とする。
【発明の効果】
【００１０】
本発明は、以下に記載されるような効果を奏する。
請求項１記載の発明のボールジョイント用ダストカバーによれば長期間使用しても、グリースが不足し、シールリップやダストリップが早期に摩耗したり、切れたりする問題が無く、長期間安定したシール性能を発揮出来る。
更に、請求項２記載の発明のボールジョイント用ダストカバーによれば、ダストカバーと一体成形出来る為、成型加工が容易である。
【００１１】
更に、請求項３記載の発明のボールジョイント用ダストカバーによれば、小径開口部の変位に追随して、グリース供給が円滑に行える。
更に、請求項４記載の発明のボールジョイント用ダストカバーによれば、従来のダストカバーがそのまま使用できる。
【図面の簡単な説明】
【００１２】
【図１】本発明に係る、ボールジョイント用ダストカバーの縦断面図。
【図２】図１の要部拡大図。
【図３】他の実施態様を図２と同様に示した図。
【図４】従来技術に係る、ボールジョイント用ダストカバーの縦断面図。
【発明を実施するための形態】
【００１３】
以下、本発明を実施するための形態について説明する。
図１及び図２に示される様に、本発明に係るボールジョイント用ダストカバーの態様は、ボールスタッド１の一端に形成された球頭部２がソケット３内に保持され、ボールスタッド１の他端の軸部４はナックル５に締め付け固定され、一端大径開口部８がソケット３の外周面にスナップリング２２により固定保持され、他端小径開ロ部１５が軸部４に一定範囲の周方向の滑り移動を許容する形で保持され、この小径開口部１５側には、ボールジョイント内への水やダスト等の浸入防止のために、ナックル５の下面と密封接触するダストリップ１０と、ダストカバー６内のグリースが外部に漏れないため、軸部４の外周面と密接するシールリップ７とが設けられている。
また、この大径開口部８と小径開口部１５とを連結している膜部７が配置されている。
更に、この膜部７の小径開口部１５側の内側には、グリース溜り部７１が形成されている。
【００１４】
このグリース溜り部７１は、膜部７から軸部４外周面に向かって伸びる仕切り部材７１１により形成されている。
このことにより、ボールスタッド１やナックル５の揺動回転運動に伴い、ダストカバー６が変形し、グリース溜り部７１内のグリースが、ダストリップ１０とシールリップ９とに供給される。
この仕切り部材７１１は、膜部７から一体的に伸びる形で設けられており、その先端は、軸部４外周面と接しても良く、狭間隙で対峙する形でも良いが、接する形とすることにより、グリース溜り部７１内のグリースを、長期間より確実に溜めておくことが出来る。
また、この仕切り部材７１１は、小径開口部１５の下面１５１から軸部４外周面に向かって伸びる形に形成しても良い。
この様な態様とした場合は、小径開口部の変位に追随して、ダストリップ１０とシールリップ９とにグリース供給が円滑に行える。
【００１５】
ついで、図３に基づき、本発明の他の態様を説明する。
前述した態様と相違する点は、仕切り部材７１２が外周面から膜部７に向かって伸びる点である。
この仕切り部材７１２の材質としては、ゴム、樹脂、金属等の幅広い材質が使用可能である。
そして、この仕切り部材７１２は、軸部４と一体成型で形成しても良く、後から軸部４外周面に嵌着する形で設けても良い。
このことにより、従来のダストカバーがそのまま使用できる。
【００１６】
また、小径開口部１５には、金属補強環１１が埋設されている。
この金属補強環１１は、小径開口部１５に剛性を与え、ソケット３に対するボールスタッド１の傾斜角度が大きい場合（揺動角度が大きい場合）においても、小径開口部１５の過大な変形を阻止している。
また、小径開口部１５の内周面には、軸部１５外周面と弾性接触しているシールリップ９が形成されている。
このシールリップ９により、ダストカバー６内のグリースが外部に漏洩することを阻止している。
【００１７】
更に、小径開口部１５の上端面には、ナックル５の下端面と弾性接触しているダストシール１０が形成されている。
このダストシール１０の存在により、水や土砂がダストカバー６内に侵入することを阻止できる。
【００１８】
また、本発明は上述の発明を実施するための最良の形態に限らず本発明の要旨を逸脱することなくその他種々の構成を採り得ることはもちろんである。
【産業上の利用可能性】
【００１９】
自動車の懸架装置及び操舵装置等に使用されるボールジョイントに使用できる。
【符号の説明】
【００２０】
１    ボールスタッド
２    球頭部
３    ソケット
４    軸部
５    ナックル
６    ダストカバー
７    膜部
８    大径開口部
９    シールリップ
１０  ダストシール
１１  金属補強環
１５  小径開口部
７１  グリース溜り部
７１１仕切り部材
７１２仕切り部材
【図１】
2011106478.tif 000003
【図２】
2011106478.tif 000004
【図３】
2011106478.tif 000005
【図４】
2011106478.tif 000006